(57)【要約】【課題】受信装置に、複数の送信装置から一の送信装置を選択して所定の無線方式で画像伝送を行うシステムにおいて、利用者による送信装置の切替えを容易化する画像伝送システムを提供することを目的とする。【解決手段】データ伝送システムは、複数の送信装置及び前記複数の送信装置から画像データを受信する受信装置を有する画像伝送システムであって、前記複数の送信装置の各々は、前記受信装置に対して所定の無線方式で画像データを送信する手段と、前記所定の無線方式で前記受信装置に画像伝送を要求する手段と、を有し、前記受信装置は、前記複数の送信装置のうちの第１の送信装置から前記所定の無線方式で前記画像データを受信する手段と、前記第１の送信装置から前記画像データを受信中に、前記複数の送信装置のうちの第２の送信装置から前記画像伝送の要求を受けた場合、前記第１の送信装置に前記画像データの送信停止を要求する手段と、を有する。【選択図】図１
2015032977.tif 000002
【特許請求の範囲】
【請求項１】
複数の送信装置及び前記複数の送信装置から画像データを受信する受信装置を有する画像伝送システムであって、
前記複数の送信装置の各々は、
前記受信装置に対して所定の無線方式で画像データを送信する手段と、
前記所定の無線方式で前記受信装置に画像伝送を要求する手段と、
を有し、
前記受信装置は、
前記複数の送信装置のうちの第１の送信装置から前記所定の無線方式で前記画像データを受信する手段と、
前記第１の送信装置から前記画像データを受信中に、前記複数の送信装置のうちの第２の送信装置から前記画像伝送の要求を受けた場合、前記第１の送信装置に前記画像データの送信停止を要求する手段と、
を有する画像伝送システム。
【請求項２】
前記複数の送信装置の各々は、
前記画像データの送信停止の要求に対して前記画像データの送信を停止するか否かを決定する手段を有する請求項１に記載の画像伝送システム
【請求項３】
前記受信装置は、前記送信停止の要求に対して前記第１の送信装置が前記画像データの送信を停止した場合、前記第２の送信装置に対して前記画像伝送を許可する請求項１又は２に記載の画像伝送システム。
【請求項４】
前記受信装置は、前記送信停止の要求に対して前記第１の送信装置が所定の時間内に前記画像データの送信を停止しなかった場合、前記第２の送信装置に対して、前記画像伝送を許可しない請求項１乃至３のいずれか一項に記載の画像伝送システム。
【請求項５】
前記受信装置は、
前記受信装置及び前記送信装置の各々に着脱可能な記録媒体であって前記受信装置に装着した前記記録媒体に、前記所定の無線方式の接続に用いる認証情報を書き込む手段を有し、
前記複数の送信装置の各々は、当該送信装置に装着した前記記録媒体から、前記認証情報を読込む手段を有する請求項１乃至４のいずれか一項に記載の画像伝送システム。
【請求項６】
前記認証情報が、前記受信装置の識別情報を含む請求項５に記載の画像伝送システム。
【請求項７】
前記受信装置及び前記複数の送信装置の各々は、前記所定の無線方式による初期認証を要求する認証要求手段を有し、
前記受信装置の前記認証要求手段を押下した時点と、前記複数の送信装置のうちの一の送信装置の前記認証要求手段を押下した時点と、の時間差に基づいて前記所定の無線方式の接続認証に用いる認証情報を通信する請求項１乃至５のいずれか一に記載の画像伝送システム。
【請求項８】
前記所定の無線方式が短距離無線通信である請求項１乃至６のいずれか一項に記載の画像伝送システム。
【請求項９】
認証された複数の送信装置から所定の無線方式で画像データを受信する手段と、
前記複数の送信装置と前記所定の無線方式で制御データの送受信を行う手段と、
を有し、
前記複数の送信装置のうちの第１の送信装置から前記画像データを受信中に、前記複数の送信装置のうちの第２の送信装置から画像伝送の要求を受けた場合、前記第１の送信装置に前記画像データの送信停止を要求する画像伝送装置。
【請求項１０】
認証された受信装置に画像を伝送する画像伝送装置であって、
前記受信装置に対して所定の無線方式で画像データを送信する手段と、
前記受信装置と前記所定の無線方式で制御データの送受信を行う手段と、
前記受信装置に対して前記画像データの伝送を要求する手段と、
当該画像伝送装置とは異なる装置から前記受信装置への画像伝送要求に基づく前記画像データの送信停止の要求を前記受信装置から受信した場合に、前記画像データの送信を停止するか否かを決定する手段と、
を有する画像伝送装置。
【発明の詳細な説明】
【技術分野】
【０００１】
本発明は、画像伝送システム及び画像伝送装置に関する。
【背景技術】
【０００２】
従来、動画レコーダや情報処理装置等の画像の出力装置と、ディスプレイやプロジェクタ等の表示装置との間の接続には、ディスプレイインタフェースの規格に基づく有線ケーブル等が用いられていた。また、近年、この有線ケーブルを無線化し、画像を送信する送信装置と画像を受信する受信装置とを１対１で接続する技術が知られている。
【０００３】
また、受信装置に無線接続可能な２つの送信装置のうちの１つをリモコンで選択して、映像情報を送受信する無線伝送システムが知られている（例えば、特許文献１参照）。
【発明の概要】
【発明が解決しようとする課題】
【０００４】
例えば、会議等で、プロジェクタ等の表示装置に接続された受信装置に、複数の送信装置のうちの１つを選択して画像データを伝送するようなシステムでは、各利用者が表示装置に画像を伝送する送信装置を簡易に切替えできることが望ましい。
一方、特許文献１に開示された技術では、リモコンに手が届く利用者しか送信装置の切り替えを行うことができない。また、送信装置を増設した場合に、増設した送信装置とリモコンとの間で連携を取るための仕組みも必要である。このように、複数の送信装置から一の送信装置を選択して所定の無線方式で画像伝送を行うシステムにおいて、各利用者が簡易に送信装置の切替えを行うことには困難を伴っていた。
【０００５】
本発明の実施の形態は、上記問題点を鑑みてなされたものであって、受信装置に、複数の送信装置から一の送信装置を選択して所定の無線方式で画像伝送を行うシステムにおいて、利用者による送信装置の切替えを容易化する画像伝送システムを提供することを目的とする。
【課題を解決するための手段】
【０００６】
上記課題を解決するため、一実施の形態に係るデータ伝送システムは、複数の送信装置及び前記複数の送信装置から画像データを受信する受信装置を有する画像伝送システムであって、前記複数の送信装置の各々は、前記受信装置に対して所定の無線方式で画像データを送信する手段と、前記所定の無線方式で前記受信装置に画像伝送を要求する手段と、を有し、前記受信装置は、前記複数の送信装置のうちの第１の送信装置から前記所定の無線方式で前記画像データを受信する手段と、前記第１の送信装置から前記画像データを受信中に、前記複数の送信装置のうちの第２の送信装置から前記画像伝送の要求を受けた場合、前記第１の送信装置に前記画像データの送信停止を要求する手段と、を有する。
【発明の効果】
【０００７】
本実施の形態によれば、受信装置に、複数の送信装置から一の送信装置を選択して所定の無線方式で画像伝送を行うシステムにおいて、利用者による送信装置の切替えを容易化する画像伝送システムを提供することができる。
【図面の簡単な説明】
【０００８】
【図１】一実施形態に係る伝送システムの概略図である。
【図２】一実施の形態に係る受信装置１０１の外観イメージの一例を示す図である。
【図３】一実施の形態に係る送信装置１０２の外観イメージの一例を示す図である。
【図４】一実施の形態に係る受信装置の構成の一例を示すブロック図である。
【図５】一実施形態に係る画像制御コマンドの一例を示す図である。
【図６】一実施形態に係る画像伝送システムの画像制御コマンドの一例を示す図である。
【図７】一実施形態に係る画像伝送の開始／停止の処理の流れを示すフローチャートである。
【図８】一実施形態に係る画像伝送の切替え処理の流れを示すフローチャートである。
【図９】一実施形態に係る画像伝送の切替え拒否の処理の流れを示すフローチャートである。
【図１０】第１の実施の形態に係る画像伝送システムの認証処理の一例を説明するための図である。
【図１１】第２の実施の形態に係る画像伝送システムの認証処理の別の一例を説明するための図である。
【発明を実施するための形態】
【０００９】
以下に、本発明の実施の形態について、添付の図面を参照して説明する。
【００１０】
＜システム構成＞
図１は、一実施の形態に係る画像伝送システム１００のシステム構成の一例を示す図である。画像伝送システム１００は、受信装置１０１と、複数の送信装置１０２−ｎ（ｎ＝１〜３、ｎは複数の任意の数）を有している。尚、複数の送信装置１０２−ｎは、それぞれを区別する必要がない場合は、送信装置１０２として表記する。
【００１１】
受信装置１０１と複数の送信装置１０２−ｎは、所定の無線方式、例えば、ＵＷＢ（Ultra Wide Band）等のワイヤレスＰＡＮ（Personal Area Network）によるデータの送受信が可能である。具体的には、受信装置１０１は、複数の送信装置１０２−ｎのうちの任意の１台から、例えば、ＵＷＢ通信等の所定の無線方式により送信された画像・音声等の高速データを受信することができる。さらに、受信装置１０１は、複数の送信装置１０２−ｎのそれぞれと、上記所定の無線方式によりコマンド等の制御データの送受信が可能である。
【００１２】
受信装置１０１は、例えば、ＨＤＭＩ（登録商標）（High-Definition Multimedia Interface）や、ＤＶＩ（Digital Visual Interface）等の画像インタフェースを介して、プロジェクタ等の表示装置１０３に接続されている。
【００１３】
また、送信装置１０２−ｎは、それぞれ、ＨＤＭＩ、ＤＶＩ等の画像インタフェースを介して、出力装置１０４−ｎ（ｎ＝１〜３、ｎは複数の任意の数）に接続されている。出力装置１０４−ｎは、例えば、ＰＣ（Personal Computer）等の情報処理装置、又は、画像レコーダやビデオカメラ等の画像出力装置等である。複数の出力装置１０４−ｎについても、それぞれを区別する必要がない場合は、出力装置１０４として表記する。尚、送信装置１０２は、ＨＤＭＩ等の画像インタフェースに直接接続することが可能であり、例えば、ＰＣに接続する場合等にドライバのインストールは不要である。
【００１４】
また、送信装置１０２は、それぞれ受信装置１０１に画像伝送を要求する手段、例えば、送信開始ボタン等を有している。この送信開始ボタンを押すことにより、送信装置１０２の利用者は、上記所定の無線方式を使って、受信装置１０１に画像伝送の開始（画像表示）を要求することができる。
【００１５】
一方、受信装置１０１は、例えば、送信装置１０２−１からの画像データを受信しているときに、他の送信装置１０２−２から、画像伝送の要求を受信すると、送信装置１０２−１に送信中の画像データの送信停止を要求する。受信装置１０１は、１つの送信装置１０２からの画像データしか受信しないので、送信装置１０２−１が画像データの送信を停止するまで、他の送信装置１０２−２、１０２−３からの画像伝送を受けることができないためである。
【００１６】
このとき、受信装置１０１からの送信停止要求に応じて、送信装置１０２−１が画像データの送信を停止すると、受信装置１０１は、画像伝送を要求した送信装置１０２−２に画像伝送を許可する通知を行い、画像データの伝送を開始する。
【００１７】
このようにして、画像伝送システム１００では、送信装置１０２−ｎの各利用者は、送信開始ボタンにより、表示装置１０３に表示される画像データを容易に切替えることができる。
【００１８】
上記構成により、画像伝送システム１００では、送信装置１０２からの操作により、各利用者が簡易に画像伝送を行う送信装置１０２を選択又は切替えすることができる。
【００１９】
尚、上記システム構成は一例であって、本発明の範囲を限定するものではない。例えば、表示装置１０３は、画像レコーダ等の記録装置や他の通信装置等の機器であっても良い。また、受信装置１０１は、表示装置１０３等に組み込まれていても良い。同様に送信装置１０２も出力装置１０４に組み込まれていても良い。
【００２０】
さらに、画像伝送を要求する手段は、操作ボタンではなく、例えば、画像データの入力に応じて画像伝送を要求するものであっても良い。または、出力装置１０４からソフトウェアによって操作を行うためのＡＰＩ（Application Programming Interface）等であっても良い。さらにまた、上記所定の無線方式は、画像データ等の高速データ通信が可能な、ワイヤレスＰＡＮであれば良く、必ずしもＵＷＢ通信でなくても良い。
【００２１】
＜ハードウェア構成＞
（受信装置の外観イメージ）
図２は、一実施の形態に係る受信装置１０１の外観イメージの一例を示す図である。受信装置１０１は、例えば、本体（筐体）２０１、アンテナ２０２、画像出力Ｉ／Ｆ（Interface）２０３、メモリカード等の記録媒体２０６を挿入する外部メモリＩ／Ｆ２０４、認証ボタン２０５等を有している。尚、記録媒体２０６は、受信装置１０１及び各送信装置１０２に着脱可能な記憶手段である。
【００２２】
受信装置１０１は、送信装置１０２から、例えば、ＵＷＢ通信によって無線伝送された画像データをアンテナ２０２で受信し、受信した画像データを、例えば、ＨＤＭＩ等の所定の形式の画像データに変換して画像出力Ｉ／Ｆ２０３から出力する。記録媒体２０６、外部メモリＩ／Ｆ２０４及び認証ボタン２０５は、認証情報の受け渡しに使用することを想定している。尚、認証情報の受け渡しについては、後述する。
【００２３】
（送信装置の外観イメージ）
図３は、一実施の形態に係る送信装置１０２の外観イメージの一例を示す図である。送信装置１０２は、例えば、本体（筐体）３０１、アンテナ３０２、画像入力Ｉ／Ｆ３０３、外部メモリＩ／Ｆ３０４、認証ボタン３０５、送信開始／停止ボタン３０６、及び状態表示ＬＥＤ３０７等を有している。送信装置１０２は、出力装置１０４から入力された、例えば、ＨＤＭＩ等の所定の形式の画像データを、ＵＷＢ等の所定の無線方式のフォーマットに変換した後、アンテナ３０２から送信する。送信開始／停止ボタン３０６は、受信装置１０１に画像伝送の開始を要求する手段である。また、図３の例では、画像伝送の停止を要求する手段を兼ねている。尚、送信開始ボタンと送信停止ボタンを別々に設けても良いことは言うまでもない。外部メモリＩ／Ｆ３０４及び認証ボタン３０５は、認証情報の受け渡しに使用する。
【００２４】
（受信装置の構成）
図４は、一実施の形態に係る受信装置１０１の構成の一例を示すブロック図である。受信装置１０１は、例えば、アンテナ部４０１、無線通信部４０２、データ処理部４０３、制御部４０４、操作入力部４０５、外部メモリＩ／Ｆ部４０６、画像出力回路部４０７などを有している。
【００２５】
アンテナ部４０１は、図２のアンテナ２０２、及び無線通信部４０２との間のマッチング回路等を含む。
【００２６】
無線通信部４０２は、無線によるデータの送受信を行うブロックであり、例えば、ＰＨＹ／ＲＦ回路４０９と、ＭＡＣ回路４０８等を有する。ＰＨＹ／ＲＦ回路４０９は、無線通信用の物理層（PHY: Physical Layer）であり、例えば、無線送受信回路、Ａ／Ｄ及びＤ／Ａ変換回路、変復調等の信号処理を行うＤＳＰ（Digital Signal Processor）等を備える。
【００２７】
ＭＡＣ回路４０８は、ＰＨＹ／ＲＦ回路４０９の上位のＭＡＣ（Medium Access Control）層の機能を有し、無線チャネルの送受信タイミング等を制御する。
【００２８】
尚、本実施の形態では、無線通信方式としてＵＷＢ通信方式を想定している。ＵＷＢは、Ultra Wide Bandの略であり、例えば、１ＧＨｚ以上の幅広い周波数帯域を使って、短距離（例えば、半径２０ｍ以内）で高速（例えば、５０〜４８０Ｍｂｐｓ）のデータ送受信を実現する短距離無線通信である。ＵＷＢ通信は、例えば、ＩＥＥＥ８０２．１５．３ａや、ＷｉＭｅａｄｉａ（登録商標）アライアンス等により標準化が行われている。
【００２９】
本実施の形態では、無線通信部４０２は、複数の送信装置１０２のうちの１台から画像や音声データ等の高速データの受信が可能であり、さらに、複数の送信装置１０２のそれぞれと制御用コマンド等の制御データの送受信が可能な構成となっている。
【００３０】
データ処理部４０３は、送信装置１０２から受信した画像、音声等のデータを所定のフォーマットに変換して出力するための信号処理を行うブロックであり、例えば、ＭＰＥＧ−ＴＳ回路４１０、音声伸張回路４１１、画像伸張回路４１２等を有している。
【００３１】
ＭＰＥＧ−ＴＳ回路４１０は、無線通信部４０２が送信装置１０２から受信した画像・音声データを画像と音声に分離する。送信装置１０２から送られてくる画像データは、デジタル画像をＭＰＥＧ（Moving Pictures Experts Group）等で圧縮した後、ＴＳ（Transport Stream）に変換されて伝送される（ＭＰＥＧ−ＴＳ）。ＭＰＥＧ−ＴＳ化された画像データは、各パケットにパケット識別子（ＰＩＤ）が付加されているので、ＭＰＥＧ−ＴＳ回路４１０は、このＰＩＤに基づいて受信したデータを画像と音声に分離することができる。
【００３２】
音声伸張回路４１１は、ＭＰＥＧ−ＴＳ回路４１０により分離された音声を伸張する。画像伸張回路４１２は、ＭＰＥＧ−ＴＳ回路４１０により分離された画像、例えば、Ｈ．２６４やＪＰＥＧ（Joint Photographic Experts Group）等で圧縮されたデータを伸張する。
【００３３】
音声伸張回路４１１及び画像伸張回路４１２によって伸張された音声、画像データは、画像出力回路部４０７によって、所定のフォーマットの画像データとして出力される。尚、本実施の形態では、画像出力回路部４０７は、所定のフォーマットとしてＨＤＭＩ形式で画像データを出力することを想定している。尚、画像データは、画像と音声を含むデータであっても良いし、音声を含まない画像データであっても良い。また、画像は動画像であっても良いし、静止画像であっても良い。
【００３４】
尚、上記ＭＰＥＧ−ＴＳ回路４１０、音声伸張回路４１１、画像伸張回路４１２による構成は、データ処理部４０３の一例であって、他の構成、例えば、静止画像と動画像等であっても構わない。データ処理部４０３は、無線通信部４０２から受信したデータを所定のデータ形式に変換して出力する機能を有していれば良い。
【００３５】
次に、制御部４０４は、受信装置１０１全体の制御を行うブロックで、例えば、ＣＰＵ（Central Processing Unit）、ＲＡＭ（Random Access Memory）、フラッシュＲＯＭ（Read Only Memory）等を含む。制御部４０４は、例えば、フラッシュＲＯＭに記憶された受信装置１０１の制御用プログラムをＣＰＵが実行することによって、通信制御手段４１３、認証管理手段４１４等の機能を実現する。また、制御部４０４は、無線通信部４０２、データ処理部４０３、操作入力部４０５、外部メモリＩ／Ｆ４０６等の制御を行う。
【００３６】
通信制御手段４１３は、無線通信部４０２を介して、複数の送信装置１０２と制御メッセージの送受信を行い、受信装置１０１の通信プロトコル制御、及び画像伝送の制御等を行う。認証管理手段４１４は、複数の送信装置１０２と共有する認証情報を管理する。
【００３７】
操作入力部４０５は、受信装置１０１のユーザの入力操作を受付ける手段で、例えば、図２の認証ボタン２０５等を含む。受信装置１０１は、認証ボタン２０５以外にも、必要に応じて複数の入力手段を有していても良い。操作入力部４０５は、このような入力手段による入力を管理する。外部メモリＩ／Ｆ４０６は、例えば、図２の記録媒体２０６用のインタフェースである。
【００３８】
上記構成により、受信装置１０１は、送信装置１０２から送信された無線信号を、アンテナ部４０１を介して受信する。受信した無線信号は無線通信部４０２により、画像データと制御データに分けられ、画像データはデータ処理部４０３へ、制御データは通信制御手段４１３へ送られる。
【００３９】
データ処理部４０３へ送られた画像データは、データ処理部で所定の形式の画像データに変換され、画像出力回路部４０７を介して出力される。
【００４０】
一方、通信制御手段４１３へ送られた制御データに基づいて、通信制御手段４１３は、プロトコル制御を行う。また、通信制御手段４１３は、無線通信部４０２を介して、画像伝送を制御するための画像制御コマンドの送受信を行う。尚、画像制御コマンドについては、後述する。
【００４１】
（送信装置の構成）
図５は、一実施の形態に係る送信装置１０２の構成の一例を示すブロック図である。送信装置１０２は、例えば、画像入力回路部５０１、データ処理部５０２、無線通信部５０３、制御部５０４、アンテナ部５０５、操作入力部５０６、外部メモリＩ／Ｆ部５０７、状態表示部５１５等を有している。
【００４２】
画像入力回路部５０１は、例えば、ＨＤＭＩケーブル等の有線ケーブルで出力装置１０４を送信装置１０２に接続するためのインタフェースである。画像入力回路部５０１は、出力装置１０４から入力された画像データをデータ処理部５０２へ出力する。
【００４３】
データ処理部５０２は、画像入力回路部５０１から入力された画像データをＭＰＥＧ等で圧縮した後、ＴＳに変換して出力するブロックで、音声圧縮回路５０８、画像圧縮回路５０９、ＭＰＥＧ−ＴＳ回路５１０を有する。
【００４４】
音声圧縮回路５０８は、画像入力回路部５０１から取得した音声・画像データの音声を圧縮してＭＰＥＧ−ＴＳ回路５１０に出力する。画像圧縮回路５０９は、画像入力回路部５０１から取得した音声・画像データの画像を圧縮してＭＰＥＧ−ＴＳ回路５１０へ送信する。
【００４５】
ＭＰＥＧ−ＴＳ回路５１０は、音声圧縮回路５０８及び画像圧縮回路５０９によって圧縮された音声データ及び画像データを、ＴＳに変換して無線通信部５０３へ出力する。具体的には、音声データ、画像データをそれぞれ所定のサイズに分割し、パケット識別子（PID）を付加して、時分割多重化したデータを無線通信部５０３へ出力する。
【００４６】
無線通信部５０３は、ＵＷＢ通信によるデータの送受信を行うブロックであり、例えば、ＰＨＹ／ＲＦ回路５１２と、ＭＡＣ回路５１１等を有する。ＰＨＹ／ＲＦ回路５１２は、受信装置１０１のＰＨＹ／ＲＦ回路４０９と同様の構成を有する無線通信用の物理層である。ＭＡＣ回路５１１は、受信装置１０１のＭＡＣ回路と同様にＭＡＣ層の機能を有し、無線チャネルの送受信タイミング等を制御する。
【００４７】
本実施の形態では、無線通信部５０３は、アンテナ部５０５を介して、受信装置１０１に画像や音声データ等の高速データの送信が可能であり、さらに、受信装置１０１と制御信号の送受信が可能である。アンテナ部５０５は、図３のアンテナ３０２、及び無線通信部５０３との間のマッチング回路等を含む。
【００４８】
制御部５０４は、受信装置１０１の制御部と同様に送信装置１０２全体の制御を行うブロックで、例えば、ＣＰＵ、ＲＡＭ、フラッシュＲＯＭ等を有する。制御部５０４は、例えば、フラッシュＲＯＭに記憶された送信装置１０２の制御用プログラムをＣＰＵが実行することによって、通信制御手段５１３、認証管理手段５１４等の機能を実現する。また、制御部５０４は、無線通信部５０３、データ処理部５０２、操作入力部５０６、外部メモリＩ／Ｆ５０７等の制御を行う。
【００４９】
通信制御手段５１３は、無線通信部５０３を介して、受信装置１０１と制御メッセージの送受信を行い、送信装置１０２の通信プロトコルの制御、及び画像伝送の制御等を行う。を行う。認証管理手段５１４は、受信装置１０１と共有する認証情報を管理する。
【００５０】
操作入力部５０６は、送信装置１０２のユーザの入力操作を受付ける手段で、例えば、図３の認証ボタン３０５、及び送信開始／停止ボタン３０６等を含む。送信装置１０２は、認証ボタン３０５、送信開始／停止ボタン３０６以外にも、必要に応じて複数の入力手段を有していても良い。操作入力部５０６は、このような入力手段からの入力を管理する。外部メモリＩ／Ｆ５０７は、例えば、図２の記録媒体２０６用のインタフェースである。状態表示部５１５は、例えば、状態表示ＬＥＤ３０７等で送信装置１０２の状態をユーザに通知する。
【００５１】
上記構成により、送信装置１０２は、送信開始／停止ボタン３０６等の操作入力部５０６への所定の操作に応じて、画像伝送を要求する画像制御コマンドを受信装置１０１へ送信する。受信装置１０１からの応答メッセージが、画像伝送を許可する画像制御コマンドである場合、送信装置１０２は、画像入力回路部５０１を介して入力された画像データをデータ処理部５０２で圧縮し、ＴＳに変換して無線通信部５０３へ出力する。無線通信部５０３は、データ処理部５０２から入力された画像データを、ＵＷＢ通信で、アンテナ部５０５を介して送信する。
【００５２】
一方、受信装置１０１からの応答メッセージが、画像伝送を許可しない画像制御コマンドである場合、送信装置１０２は、状態表示ＬＥＤ３０７等により、画像伝送ができなかった旨をユーザに表示し、処理を終了する。
【００５３】
＜画像制御コマンド＞
ここで、画像伝送システム１００の受信装置１０１と送信装置１０２との間で送受信する画像制御コマンドについて説明する。
【００５４】
図６は、一実施形態に係る画像伝送システムの画像制御コマンドの一例を示す図である。Ｔ１コマンドは、送信装置１０２から受信装置１０１に対して、画像伝送を要求するコマンドである。例えば、送信装置１０２のユーザが画像を表示装置１０３に表示したいとき、送信開始／停止ボタン３０６を押下すると、このＴ１コマンドが受信装置１０１へ送信される。
【００５５】
Ｔ２コマンドは、受信装置１０１から送信装置１０２に画像伝送を許可又は拒否を通知するコマンドである。画像伝送を許可する場合と拒否する場合とで、Ｔ２コマンドのフォーマットは同じであるが、情報要素の値によって、例えば、「０１」許可、「００」拒否等として、許可又は拒否する旨を送信装置１０２に伝えることができる。
【００５６】
Ｔ４コマンドは、画像データを送信中の送信装置１０２に対して、受信装置１０１が送信停止を要求するコマンドである。受信装置１０１は、画像データの受信中に、他の送信装置１０２からＴ１コマンド（画像伝送要求）を受信すると、画像を送信中の送信装置１０２に対してＴ４コマンド（送信停止要求）を送信する。
【００５７】
Ｔ３コマンドは、送信装置１０２から受信装置１０１に、画像データの送信を停止したこと、又は停止を拒否することを通知するコマンドである。Ｔ３コマンドにおいても、Ｔ２コマンドと同様に、情報要素の値によって、例えば、「０１」送信停止、「００」送信停止拒否等として、画像データの送信停止する、又は拒否する旨を受信装置１０１に伝えることができる。
【００５８】
＜処理の流れ＞
図７は、一実施形態に係る画像伝送の開始／停止の処理の流れを示すフローチャートである。送信装置１０２のユーザは、例えば、図３の送信開始／停止ボタン３０６を押下することにより、受信装置１０１に画像伝送を要求する（ステップＳ７０１）。送信装置１０２は、送信開始／停止ボタン３０６の押下を検出すると、受信装置１０１にＴ１画像伝送要求コマンドを送信する（ステップＳ７０２）。
【００５９】
受信装置１０１は、送信装置１０２からＴ１画像伝送要求コマンドを受信すると、他の送信装置からの画像伝送を受けていない場合、送信装置１０２からのデータ伝送を受けるための受信処理を開始する（ステップＳ７０３）。その後、受信装置１０１は、送信装置１０２にＴ２画像伝送許可コマンドを送信する（ステップＳ７０４）。
【００６０】
送信装置１０２は、受信装置１０１からＴ２画像伝送許可コマンドを受信すると、画像の送信処理を開始し（ステップＳ７０５）、画像伝送が行われる（ステップＳ７０６）。
【００６１】
画像伝送中は、送信装置１０２の送信開始／停止ボタン３０６を押下することにより、受信装置１０１に画像伝送を停止することができる（ステップＳ７０７）。送信装置１０２は、画像伝送中に送信開始／停止ボタン３０６の押下を検出すると、画像データの送信処理を停止し（ステップＳ７０８）、受信装置１０１にＴ３送信停止通知を送信する（ステップＳ７０９）。
【００６２】
受信装置１０１は、画像伝送中に送信装置１０２からＴ３送信停止通知を受信すると、受信処理を停止し（ステップＳ７１０）、待機状態へ移行する。
【００６３】
上記動作により、受信装置１０１が画像伝送を行っていないとき、複数の送信装置１０２のうちの任意の送信装置１０２の操作により、画像伝送を開始／停止することができる。
【００６４】
図８は、一実施形態に係る画像伝送の切替え処理の流れを示すフローチャートである。本実施の形態の画像伝送システム１００では、送信装置１０２は、受信装置１０１が他の送信装置と画像伝送中であっても、受信装置１０１に画像伝送の開始を要求することができる。
【００６５】
図８において、受信装置１０１と送信装置１０２−１が画像伝送中（ステップＳ８０１）であるものとする。この状態で、送信装置１０２−２のユーザが送信開始／停止ボタン３０６を押下すると（ステップＳ８０２）、送信装置１０２−２は、受信装置１０１にＴ１画像伝送要求コマンドを送信する（ステップＳ８０３）。ＵＷＢ通信では、受信装置１０１は、送信装置１０２−１との画像伝送中であっても、送信装置１０２−１〜１０２−３と制御データの送受信が可能である。
【００６６】
受信装置１０１は、送信装置１０２−１との画像伝送中に、送信装置１０２−２からのＴ１画像伝送要求コマンドを受信すると、送信装置１０２−１にＴ４送信停止要求コマンドを送信する（ステップＳ８０４）。
【００６７】
尚、本実施の形態に係る送信装置１０２−１は、受信装置１０１からＴ４送信停止要求コマンドに対して、送信を停止するか否かを設定又は選択（決定）する手段を有している。一例として、送信装置１０２の送信開始／停止ボタン３０６を所定時間（例えば、５秒）以上長押しすると、Ｔ４送信停止要求コマンドに対して送信停止を拒否するロックモードに移行する。また、このとき、状態表示ＬＥＤ３０７を、例えば、グリーンからオレンジに色を変えて、ユーザにロックモードであることを表示する。
【００６８】
送信装置１０２−１は、受信装置１０１からＴ４送信停止要求コマンドを受信すると、ロックモードに設定されているか否かを確認し、ロックモードに設定されていない場合（許可設定時）には、画像データの送信処理を停止する（ステップＳ８０５）。また、送信装置１０２−１は、受信装置１０１にＴ３送信停止通知コマンドを送信する（ステップＳ８０６）。
【００６９】
受信装置１０１は、送信装置１０２−１が画像データの送信を停止すると、送信装置１０２−２との画像伝送を行うことができるようになるので、送信装置１０２−２にＴ２画像伝送許可コマンドを送信する（ステップＳ８０９）。
【００７０】
送信装置１０２−２は、受信装置１０１からＴ２画像伝送許可コマンドを受信すると、送信処理を開始し（ステップＳ８１０）、送信装置１０２−２と受信装置１０１との間で、画像伝送が行われる（ステップＳ８１１）。
【００７１】
上記動作により、本実施の形態の係る画像伝送システム１００では、送信装置１０２は、受信装置１０１が他の送信装置１０２と画像伝送を行っている場合であっても、画像の伝送を要求し、切り替えを行うことができる。
【００７２】
図９は、一実施形態に係る画像伝送の切替え拒否の処理の流れを示すフローチャートである。図９のフローチャートは、受信装置１０１と画像伝送中の送信装置１０２−１が、前述したロックモードに設定されている場合の処理の流れを示す。
【００７３】
図９において、受信装置１０１と送信装置１０２−１が画像伝送中（ステップＳ９０１）に、送信装置１０２−２のユーザが送信開始／停止ボタン３０６を押下すると（ステップＳ９０２）、送信装置１０２−２は、受信装置１０１にＴ１画像伝送要求コマンドを送信する（ステップＳ９０３）。
【００７４】
受信装置１０１は、送信装置１０２−１との画像伝送中に、送信装置１０２−２からのＴ１画像伝送要求コマンドを受信すると、送信装置１０２−１にＴ４送信停止要求コマンドを送信する（ステップＳ９０４）。
【００７５】
送信装置１０２−１は、受信装置１０１からＴ４送信停止要求コマンドを受信すると、ロックモードに設定されているか否かを確認する。図９では、ロックモード、すなわち、Ｔ４送信停止要求コマンドに対する送信停止を拒否又は禁止する設定が行われているものとする。送信装置１０２−１は、Ｔ４送信停止要求コマンドに対する送信停止の禁止設定を確認すると（ステップＳ９０５）、受信装置１０１にＴ３送信停止拒否コマンドを送信し（ステップＳ９０６）、画像伝送を継続する。
【００７６】
送信装置１０２−１からＴ３送信停止拒否コマンドを受信した受信装置１０１は、送信装置１０２−２にＴ２画像伝送拒否コマンドを送信する（ステップＳ９０７）。Ｔ２画像伝送拒否コマンドを受信した送信装置１０２−２は、状態表示ＬＥＤ３０７で、例えば、赤色点滅を１０秒間表示して、画像伝送が失敗したことをユーザに通知する（ステップＳ９０８）。
【００７７】
尚、受信装置１０１は、Ｔ４送信停止要求コマンドを送信装置１０２−１に送信した後、送信装置１０２−１からＴ３コマンドが送信されない場合、Ｔ４送信停止要求コマンドの再送を行っても良い。受信装置１０１は、所定の時間以上、又はＴ４コマンドを所定の再送回数以上送信しても、送信装置１０２−１が画像データの送信を停止しなかった場合、送信装置１０２−２にＴ２画像伝送拒否コマンドを送信する。
【００７８】
上記動作により、画像伝送システム１００では、送信装置１０２のユーザは、必要に応じて画像伝送の切替えを拒否又は禁止を設定することができる。また、送信装置１０２は、画像伝送中に受信装置１０１から、Ｔ４送信停止要求コマンドを受信したことを表示し、ユーザが拒否又は許可を選択するものであっても良い。
【００７９】
＜初期認証処理＞
画像伝送システム１００では、受信装置１０１は、認証された特定の送信装置１０２−ｎ以外からの画像伝送を受付けることは望ましくなく、また、各送信装置１０２も、認証された特定の受信装置１０１に対してのみ画像データを送信することが望ましい。この原則が崩れると、送信装置１０２が他のシステムの受信機器に機密性の高い画像を誤って送信してしまうこと、及び受信装置１０１がシステム外の送信機器等からの混信を受けること等の問題を招く恐れがある。
【００８０】
このため、画像伝送システム１００で画像伝送を行う受信装置１０１と送信装置１０２は、接続に必要な認証情報を予め共有する。ここでは、この認証情報を共有するための認証処理を、接続時の認証と区別するため、初期認証と呼ぶものとする。画像伝送システム１００では、受信装置１０１と初期認証済の送信装置１０２のみが画像伝送を行うことが可能である。
【００８１】
［第１の実施の形態］
図１０は、第１の実施の形態に係る画像伝送システムの認証処理の一例を説明するための図である。受信装置１０１は、認証用の記録媒体２０６を挿入又は接続する外部メモリＩ／Ｆ２０４と認証ボタン２０５を有している。ユーザは、外部メモリＩ／Ｆ２０４に認証用の記録媒体２０６を接続（装着）し、認証ボタン２０５等の入力手段により、認証情報の書込みを指示する。認証管理手段４１４は、認証情報の書込みの指示に応じて、認証用の記録媒体２０６に秘密の数列（認証情報）を記憶する。また、受信装置１０１の内部にも、同じ秘密の数例を記憶する。
【００８２】
一方、送信装置１０２も、認証用の記録媒体２０６を挿入又は接続する外部メモリＩ／Ｆ３０４と認証ボタン３０５を有している。ユーザは、受信装置１０１で秘密の数列を記憶した認証用の記録媒体２０６を、例えば、送信装置１０２−１の外部メモリＩ／Ｆ３０４に接続（装着）し、認証ボタン３０５等の入力手段により、認証情報の読み込みを指示する。送信装置１０２−１の認証管理手段５１４は、認証情報の読み込みの指示に応じて、認証用の記録媒体２０６から秘密の数列を読出し、記憶する。
【００８３】
上記処理により、受信装置１０１と送信装置１０２−１とは、秘密の数列を共有し、初期認証が完了する。また、さらに他の送信装置１０２−２を初期認証する場合には、既に秘密の数列が書き込まれた認証用の記録媒体２０６を送信装置１０２−２の外部メモリＩ／Ｆ３０４に挿入又は接続し、送信装置１０２−２の認証ボタン３０５を押すだけで良い。同様にして、他の送信装置１０２−ｎとの初期認証を行うことができる。
【００８４】
受信装置１０１と初期認証済の送信装置１０２は、共に記憶している秘密の数列を用いて、接続時の認証（接続認証）を行う。
【００８５】
上記処理により、本実施の形態に係る画像伝送システム１００は、例えば、受信装置１０１が送信装置１０２−１から画像データの伝送を受けている場合であっても、画像データの伝送を中断することなく、新たな送信装置１０２の初期認証を行うことができる。
【００８６】
例えば、Ｂｌｕｅｔｏｏｔｈ（登録商標）のペアリングのように、無線接続によって初期認証を行う場合は、ペアリングモードに移行することにより、データ通信を中断する必要があった。また、ＵＳＢ等のケーブル接続によって初期認証を行う場合には、ケーブル接続のために、初期認証を行う送信装置１０２を、受信装置１０１の近くまで持っていく必要があった。
【００８７】
しかし、本実施の形態では、例えば、会議中に新たに参加した利用者は、送信装置１０２に認証用の記録媒体２０６を接続して認証ボタン３０５を押下するだけで、受信装置１０１の画像伝送を中断することなく、初期認証を行うことができる。すなわち、画像伝送システム１００では、受信装置１０１の画像伝送を妨げることなく、簡易に送信装置１０２の増設（初期認証）を行うことができる。
【００８８】
（変形例）
第１の実施の形態では、認証用の記録媒体２０６に記憶する認証情報として秘密の数例を記憶することについて説明した。この場合、送信装置１０２が既に認証情報を記憶している場合、新たに認証情報を読込む際に、既に記憶されていた認証情報を削除（上書き）する等、複数の認証情報を管理する必要がある。そこで、好適な一例として、認証用の記録媒体２０６に記憶する認証情報として、秘密の数列と共に、秘密の数列を生成した受信装置１０１の識別情報、例えば、ＭＡＣアドレス等を記憶する例について説明する。
【００８９】
認証情報として、秘密の数列と共に、秘密の数列を生成した受信装置１０１の識別情報を記憶する場合、例えば、送信装置１０２は、新たに認証情報を取得すると、記憶済の認証情報のＭＡＣアドレスと、新たな認証情報のＭＡＣアドレスを比較する。送信装置１０２は、新たな認証情報のＭＡＣアドレスが、記憶済の認証情報のＭＡＣアドレスと一致した場合には、記憶済の認証情報は古いと判断できるので、記憶済の認証情報を削除し、新たな認証情報を記憶する。一方、送信装置１０２は、新たな認証情報のＭＡＣアドレスと、記憶済のＭＡＣアドレスが一致しなかった場合、新たな認証情報を追加で記憶する。
【００９０】
この場合、送信装置１０２は、複数の受信装置１０１に対応する複数の認証情報を記憶し、管理することができるようになる。尚、受信装置１０１との接続の際には、例えば、記憶した日時が新しい認証情報から順番に接続を試行すれば良い。すなわち、最後に記憶された認証情報のＭＡＣアドレスを有する受信装置１０１にアクセスし、失敗した場合には、順次、次に記憶日時の新しい認証情報のＭＡＣアドレスに従って、次の受信装置１０１にアクセスすれば良い。
【００９１】
［第２の実施の形態］
第１の実施の形態では、認証用の記録媒体２０６を用いて初期認証を行うものとして説明を行ったが、これは好適な一例であって、本発明の範囲を限定するものではない。例えば、画像伝送システム１００は、他の方法で初期認証を行うものであっても良いし、他の初期認証方法をさらに有するものであっても良い。
【００９２】
本実施の形態では、他の初期認証方法の一例について説明する。
【００９３】
図１１は、第２の実施の形態に係る画像伝送システム１００の認証処理の別の一例を説明するための図である。図１１において、送信装置１０２の初期認証を行いたいユーザは、受信装置１０１の認証ボタン２０５と、送信装置１０２の認証ボタン３０５を同時、または所定の時間内に押下する。これにより、受信装置１０１及び送信装置１０２は、所定の無線方式により初期認証を行う。
【００９４】
認証ボタンを同時に押下された受信装置１０１及び送信装置１０２は、例えば、乱数と公開鍵等を利用した認証を行い、セキュリティを確保した後に秘密の数列を共有する通信を行っても良い。或いは、受信装置１０１の認証ボタン２０５を押下した時点と、送信装置１０２の認証ボタンを押下した時点と、の時間差が所定の時間以内であること自体を簡易的な認証とし、秘密の数列を共有する通信を行うものであっても良い。
【００９５】
本実施の形態に係る画像伝送システム１００では、電波の到達距離が１０ｍ〜２０ｍ程度のワイヤレスＰＡＮを利用しているため、このように簡易な認証により初期認証を行うことが可能である。
【００９６】
また、好適な一例として、受信装置１０１と送信装置１０２の認証ボタンが同時、又は所定の時間内に押下された場合、受信装置１０１と送信装置１０２は近距離にあると考えられるので、送信電力を下げて初期認証に係る通信を行うものであっても良い。これにより、送信電波の到達距離が短くなるので、さらにセキュリティ性が向上する。
【符号の説明】
【００９７】
１００    画像伝送システム
１０１    受信装置（画像伝送装置）
１０２    送信装置（画像伝送装置）
２０４、３０４    外部メモリＩ／Ｆ
２０５、３０５    認証ボタン
４１３、５１３    通信制御手段
４１４、５１４    認証管理手段
２０６    記録媒体
３０６    送信／停止ボタン
【先行技術文献】
【特許文献】
【００９８】
【特許文献１】特開２０１０−１１４７９８号公報
【図１】
2015032977.tif 000003
【図２】
2015032977.tif 000004
【図３】
2015032977.tif 000005
【図４】
2015032977.tif 000006
【図５】
2015032977.tif 000007
【図６】
2015032977.tif 000008
【図７】
2015032977.tif 000009
【図８】
2015032977.tif 000010
【図９】
2015032977.tif 000011
【図１０】
2015032977.tif 000012
【図１１】
2015032977.tif 000013